(57)【要約】【課題】インクを吐出して印刷するインクジェットヘッドを備えたインクジェット印刷装置において、綴じられた複数枚の用紙の少なくとも１枚に簡単な機構で印刷を実現する。【解決手段】インクジェットヘッドと被印刷物を固定する固定ユニットとで構成され、インクジェットヘッドと固定ユニットとの相対移動によってインクジェットヘッドが前記被印刷物に対向して印刷するとき、綴じられた複数枚の用紙の少なくとも１枚を綴じられた複数枚の用紙から取り分けて被印刷物として固定ユニットに固定して印刷することを特徴とする。【選択図】図１
2014121839.tif 000002
【特許請求の範囲】
【請求項１】
インクジェットヘッドと被印刷物を固定する固定ユニットとで構成され前記インクジェットヘッドと前記固定ユニットとの相対移動によって前記インクジェットヘッドが前記被印刷物に対向して印刷するインクジェット印刷装置において、綴じられた複数枚の用紙の少なくとも１枚を前記綴じられた複数枚の用紙から取り分けて前記被印刷物として前記固定ユニットに固定して印刷することを特徴とするインクジェット印刷装置。
【請求項２】
請求項１のインクジェット印刷装置において、前記１枚の被印刷物の印刷終了後に該１枚の被印刷物を前記固定ユニットから取り外した後、前記綴じられた複数枚の用紙から次に印刷する１枚を取り分けて前記被印刷物として前記固定ユニットに固定して印刷することを特徴とするインクジェット印刷装置。
【請求項３】
請求項２のインクジェット印刷装置において、前記１枚の被印刷物の印刷終了後に該１枚の被印刷物を前記固定ユニットの下方に取り外した後、前記綴じられた複数枚の用紙から次に印刷する１枚を取り分けて前記被印刷物として前記固定ユニットの上方から前記固定ユニットに固定して印刷することを特徴とするインクジェット印刷装置。
【発明の詳細な説明】
【技術分野】
【０００１】
本発明は、インクを吐出して印刷するインクジェットヘッドを備えた綴じられた複数枚の用紙の少なくとも１枚に印刷するインクジェット印刷装置に関するものである。
【背景技術】
【０００２】
従来より、インクを吐出して印刷するインクジェットヘッドを備えたインクジェット印刷装置において、綴じられた複数枚の用紙の少なくとも１枚に印刷する例として、例えば例えば特願２０１２−１２１４２８があった。図７に示すように、インクジェットヘッド１とローラー８とが搭載されたヘッドユニット９と綴じられた複数枚の用紙２を固定する固定ユニット１０とで構成され、ローラー８と固定ユニット１０とが綴じられた複数枚の用紙２を挟んで当接しヘッドユニット９と固定ユニット１０との相対移動によってインクジェットヘッド１が綴じられた複数枚の用紙２のヘッドユニット側に最も近い用紙に対向して印刷するものがあった。図７に示すように、綴じられた複数枚の用紙２のヘッドユニット側に最も近い用紙が印刷された後、印刷された用紙１枚がめくられて次のヘッドユニット側に最も近い用紙に同様に印刷される。
【０００３】
しかしながら、このインクジェット印刷装置では、綴じられた複数枚の用紙２のヘッドユニット側に最も近い用紙が印刷された後その用紙がめくられて次のヘッドユニット側に最も近い用紙に順次印刷される時、ローラー８が当接する部分の綴じられた用紙の厚さが薄くなって変わるため、インクジェットヘッド１の固定ユニット１０からの距離を短く調整する必要があり、機構が複雑になったりその距離の調整に時間を要し印刷速度が低下する問題があった。
【先行技術文献】
【特許文献】
【０００４】
【特許文献１】特願２０１２−１２１４２８
【発明の概要】
【発明が解決しようとする課題】
【０００５】
解決しようとする問題点は、インクを吐出して印刷するインクジェットヘッドを備えた綴じられた複数枚の用紙の少なくとも１枚に印刷するインクジェット印刷装置において、機構が複雑になったり印刷速度が低下する点である。
【課題を解決するための手段】
【０００６】
本発明は、インクを吐出して印刷するインクジェットヘッドを備えた綴じられた複数枚の用紙の少なくとも１枚に印刷するインクジェット印刷装置において、前記のような従来例における問題点を解消するために、インクジェットヘッドと被印刷物を固定する固定ユニットとで構成され、インクジェットヘッドと固定ユニットとの相対移動によってインクジェットヘッドが前記被印刷物に対向して印刷するとき、綴じられた複数枚の用紙の少なくとも１枚を綴じられた複数枚の用紙から取り分けて被印刷物として固定ユニットに固定して印刷することを特徴とする。
【０００７】
本発明は、好ましくは、綴じられた複数枚の用紙の少なくとも１枚を綴じられた複数枚の用紙から取り分けて被印刷物として固定ユニットに固定して印刷した後、その１枚の被印刷物を固定ユニットから取り外した後、続けて綴じられた複数枚の用紙から次に印刷する１枚を取り分けて被印刷物として固定ユニットに固定して印刷することを特徴とする。
【０００８】
本発明は、好ましくは、綴じられた複数枚の用紙の少なくとも１枚を綴じられた複数枚の用紙から取り分けて被印刷物として固定ユニットに固定して印刷した後、その１枚の被印刷物を固定ユニットの下方に取り外した後、続けて綴じられた複数枚の用紙から次に印刷する１枚を取り分けて被印刷物として固定ユニットの上方から固定ユニットに固定して印刷することを特徴とする。
【発明の効果】
【０００９】
以上述べたように、本発明に係る綴じられた複数枚の用紙の少なくとも１枚に印刷するインクジェット印刷装置では、インクジェットヘッドと被印刷物を固定する固定ユニットとで構成され、インクジェットヘッドと固定ユニットとの相対移動によってインクジェットヘッドが前記被印刷物に対向して印刷するとき、綴じられた複数枚の用紙の少なくとも１枚を綴じられた複数枚の用紙から取り分けて被印刷物として固定ユニットに固定して印刷することによって、インクジェットヘッドと固定ユニットとの間には常に１枚の用紙が設置されるため、インクジェットヘッドと固定ユニットとの距離が常に固定された状態でインクジェットヘッドと被印刷物との距離が常に一定となるため、インクジェットヘッドの固定ユニットからの距離の調整せずに固定でき、機構が簡単で印刷速度が高速な綴じられた複数枚の用紙の少なくとも１枚に印刷するインクジェット印刷装置を実現できる。さらに、好ましい様態として綴じられた複数枚の用紙の少なくとも１枚を綴じられた複数枚の用紙から取り分けて被印刷物として固定ユニットに固定して印刷した後、その１枚の被印刷物を固定ユニットから取り外し、続けて綴じられた複数枚の用紙から次に印刷する１枚を取り分けて被印刷物として固定ユニットに固定して印刷する手段を有するため、綴じられた複数枚の用紙から順次１枚の用紙に連続的に印刷するインクジェット印刷装置を実現できる。さらに、好ましい様態として綴じられた複数枚の用紙の少なくとも１枚を綴じられた複数枚の用紙から取り分けて被印刷物として固定ユニットに固定して印刷した後、その１枚の被印刷物を固定ユニットの下方に取り外し、続けて綴じられた複数枚の用紙から次に印刷する１枚を取り分けて被印刷物として固定ユニットの上方から固定ユニットに固定して印刷する手段を有するため、さらに簡単な機構で印刷速度が高速な綴じられた複数枚の用紙から順次１枚の用紙に連続的に印刷するインクジェット印刷装置を実現できる。
【００１０】
以上述べたように、本発明に係る綴じられた複数枚の用紙から順次１枚の用紙に印刷するインクジェット印刷装置では、簡単な機構で印刷速度が高速な綴じられた複数枚の用紙の少なくとも１枚に印刷するインクジェット印刷装置を提供することができ、また綴じられた複数枚の用紙から順次１枚の用紙に連続的に印刷するインクジェット印刷装置を実現できる。
【図面の簡単な説明】
【００１１】
【図１】図１は本発明の第１の実施例に係るインクジェット印刷装置の実施例１の第１の工程の開始を示す斜視図である。（実施例１）
【図２】図２は、本発明の第１の実施例に係るインクジェット印刷装置の実施例１の第１の工程の修了と同時に第２の工程の開始を示す斜視図である。（実施例１）
【図３】図３は、本発明の第１の実施例に係るインクジェット印刷装置の実施例１の第２の工程の修了を示す斜視図である。（実施例１）
【図４】図４は、本発明の第２の実施例に係るインクジェット印刷装置の実施例２の第１の工程の開始を示す斜視図である。（実施例２）
【図５】図５は、本発明の第２の実施例に係るインクジェット印刷装置の実施例２の第１の工程の修了と同時に第２の工程の開始を示す斜視図である。（実施例２）
【図６】図６は、本発明の第２の実施例に係るインクジェット印刷装置の実施例２の第２の工程の修了を示す斜視図である。（実施例２）
【図７】図７は従来のインクジェット印刷装置を示す斜視図である。（従来例１）
【発明を実施するための形態】
【００１２】
インクを吐出して印刷するインクジェットヘッドを備えた綴じられた複数枚の用紙の少なくとも１枚に印刷するインクジェット印刷装置において、簡単な機構で印刷速度が高速なインクジェット印刷装置を実現した。以下、本発明の実施例について、添付図面を参照して説明する。
【実施例１】
【００１３】
図１は、本発明の第１の実施例に係るインクジェット印刷装置の実施例１の第１の工程の開始を示す斜視図である。図１に示すように、本発明のインクジェット印刷装置において、インクジェットヘッド１と綴じられた複数枚の用紙２から取り分けた１枚の用紙の被印刷物３を固定する固定ユニット４と綴じられた複数枚の用紙２を移動する移動ユニット５とから構成される。インクジェットヘッド１と固定ユニット４との距離は固定されている。固定ユニット４の一部は、例えば気体を吸引して貼り付けて被印刷物３を固定する吸引型搬送ベルトによって構成される。インクジェットヘッド１がインクを吐出することよって被印刷物３への印刷動作が始まるとき、綴じられた複数枚の用紙２が移動ユニット５によって矢印の方向に移動し、その移動に同期して固定ユニット４を構成する吸引型搬送ベルトが動作して被印刷物３も綴じられた複数枚の用紙２と同様に移動する構造になっている。これらの動作によって被印刷物３への印刷が完了する。
【００１４】
図２は、本発明の第１の実施例に係るインクジェット印刷装置の実施例１の第１の工程の修了と同時に第２の工程の開始を示す斜視図である。第１の工程が終了したとき、図２に示すように、固定ユニット４から外れた被印刷物３は自然落下によって下方に垂れ下がる。この状態から、第２の工程が始まり綴じられた複数枚の用紙２が移動ユニット５によって矢印の方向に移動し、既に印刷されて垂れ下がった状態になっている被印刷物３も綴じられた複数枚の用紙２と同じように移動する。前記の第１の工程またはこの第２の工程の間に、綴じられた複数枚の用紙２から次に印刷する１枚を取り分ける動作が行われる。
【００１５】
図３は、本発明の第１の実施例に係るインクジェット印刷装置の実施例１の第２の工程の修了を示す斜視図である。綴じられた複数枚の用紙２が移動ユニット５によって第１の工程を開始する位置に戻された状態になっている。既に印刷された被印刷物３は垂れ下がった状態になっている。このとき、第１の工程または第２の工程の間に綴じられた複数枚の用紙２から取り分けられた次に印刷する１枚が次の被印刷物３として上方から吸引型搬送ベルトによって固定ユニット４に固定される。この状態から第１の工程が始まり順次繰り返される。このようにして、綴じられた複数枚の用紙２から順次１枚の用紙に連続的に印刷するインクジェット印刷装置を実現できる。
【００１６】
実施例１において、インクジェットヘッド１と固定ユニット４との間には常に１枚の用紙が設置されるため、インクジェットヘッド１と固定ユニット４との距離が常に固定された状態でインクジェットヘッド１と被印刷物３との距離が常に一定となるため、インクジェットヘッド１の固定ユニット４からの距離の調整せずに固定でき、機構が簡単で印刷速度が高速な綴じられた複数枚の用紙の少なくとも１枚に印刷するインクジェット印刷装置を実現できる。さらに、既に印刷された被印刷物３は印刷後に自然落下によって下方に移動し、印刷が終了した後第２の工程として瞬時に次の印刷を開始する所定の位置に戻すことができ、第１の工程またはこの第２の工程の間に綴じられた複数枚の用紙２から次に印刷する１枚を取り分ける動作を行えるため、機構が簡単で印刷速度が高速な綴じられた複数枚の用紙の少なくとも１枚に連続して印刷するインクジェット印刷装置を実現できる。
【００１７】
実施例１において、好ましくは、固定ユニット４から外れた既に印刷された被印刷物３に例えば気体を吹き付けたり被印刷物３を下方に移動する動力手段を設けることによって被印刷物３の落下速度を高め、さらに高速な綴じられた複数枚の用紙の少なくとも１枚に連続して印刷するインクジェット印刷装置を実現できる。
【００１８】
実施例１において、好ましくは、固定ユニット４と移動ユニット５の高さを適宜調整する機構を設けることによって綴じられた複数枚の用紙２から取り分けられた被印刷物３を常に水平に保つことができ被印刷物３の綴じられた部分から印刷位置までの距離を常に一定に保つことができるため、連続的に順次印刷される被印刷物３の印刷位置を常に一定に保つことが可能となって印刷品質を高めることができる。
【００１９】
実施例１において、インクジェットヘッド１と固定ユニット４との距離を固定する場合を示したが、被印刷物３のしわなどによってインクジェットヘッド１と被印刷物３との距離にムラが発生することを避けるために、特願２０１２−１２１４２８で示されているようなインクジェットヘッド１と被印刷物３との距離を一定に保つ手段を設けても良い。このときにおいても、インクジェットヘッド１と固定ユニット４との間には常に１枚の用紙が設置されるためインクジェットヘッド１の固定ユニット４からの距離の調整量を少なくすることができるため高速動作を実現することができることは明らかである。
【実施例２】
【００２０】
図４は、本発明の第２の実施例に係るインクジェット印刷装置の実施例２の第１の工程の開始を示す斜視図である。図４に示すように、本発明のインクジェット印刷装置において、インクジェットヘッド１とインクジェットヘッド１の移動ユニット６と綴じられた複数枚の用紙２から取り分けた１枚の用紙の被印刷物３を固定する固定ユニット４と綴じられた複数枚の用紙２を固定する固定ユニット７とから構成される。インクジェットヘッド１と固定ユニット４との距離は固定されている。固定ユニット４は、例えば気体を吸引して貼り付けて被印刷物３を固定する固定台によって構成される。インクジェットヘッド１がインクを吐出することよって被印刷物３への印刷動作が始まるとき、インクジェットヘッド１が移動ユニット６によって矢印の方向に移動して被印刷物３に印刷される。
【００２１】
図５は、本発明の第２の実施例に係るインクジェット印刷装置の実施例２の第１の工程の修了と同時に第２の工程の開始を示す斜視図である。第１の工程が終了したとき、図５に示すように、固定ユニット４が一定の軸を中心として下方に回転して移動し被印刷物３は自然落下によって下方に垂れ下がる。この状態から、第２の工程が始まり固定ユニット４が一定の軸を中心として上方に回転して移動して元の位置に戻る。また、インクジェットヘッド１は移動ユニット６によって矢印の方向に移動して元の位置に戻る。前記の第１の工程またはこの第２の工程の間に、綴じられた複数枚の用紙２から次に印刷する１枚を取り分ける動作が行われる。
【００２２】
図６は、本発明の第２の実施例に係るインクジェット印刷装置の実施例２の第２の工程の修了を示す斜視図である。インクジェットヘッド１および固定ユニット４は第１の工程の始まりとなる元の位置戻った状態になっている。既に印刷された被印刷物３は垂れ下がった状態になっている。このとき、第１の工程または第２の工程の間に綴じられた複数枚の用紙２から取り分けられた次に印刷する１枚が次の被印刷物３として上方から吸引型搬送ベルトによって固定ユニット４に固定される。この状態から第１の工程が始まり順次繰り返される。このようにして、綴じられた複数枚の用紙２から順次１枚の用紙に連続的に印刷するインクジェット印刷装置を実現できる。
【００２３】
実施例２において、インクジェットヘッド１と固定ユニット４との間には常に１枚の用紙が設置されるため、インクジェットヘッド１と固定ユニット４との距離が常に固定された状態でインクジェットヘッド１と被印刷物３との距離が常に一定となるため、インクジェットヘッド１の固定ユニット４からの距離の調整せずに固定でき、機構が簡単で印刷速度が高速な綴じられた複数枚の用紙の少なくとも１枚に印刷するインクジェット印刷装置を実現できる。さらに、既に印刷された被印刷物３は印刷後に自然落下によって下方に移動し、印刷が終了した後第２の工程として瞬時に次の印刷を開始する所定の位置に戻すことができ、第１の工程またはこの第２の工程の間に綴じられた複数枚の用紙２から次に印刷する１枚を取り分ける動作を行えるため、機構が簡単で印刷速度が高速な綴じられた複数枚の用紙の少なくとも１枚に連続して印刷するインクジェット印刷装置を実現できる。
【００２４】
実施例２において、好ましくは、固定ユニット４から外れた既に印刷された被印刷物３に例えば気体を吹き付けたり被印刷物３を下方に移動する動力手段を設けることによって被印刷物３の落下速度を高め、さらに高速な綴じられた複数枚の用紙の少なくとも１枚に連続して印刷するインクジェット印刷装置を実現できる。
【００２５】
実施例２において、好ましくは、第２の工程においてインクジェットヘッド１が移動ユニット６によって図５の矢印の方向に移動して元の位置に戻らず、この位置から次に続く第１の工程を開始して逆方向に印刷することによってインクジェットヘッド１が元に戻る時間を短縮することができ、さらに高速な綴じられた複数枚の用紙の少なくとも１枚に連続して印刷するインクジェット印刷装置を実現できる。なお、この場合は、綴じられた複数枚の用紙２から順次１枚の用紙に連続的に印刷するとき、第１の工程開始時においてインクジェットヘッド１は被印刷物３の両端の各々から交互にスタートする。
【００２６】
実施例２において、好ましくは、固定ユニット４と移動ユニット５の高さを適宜調整する機構を設けることによって綴じられた複数枚の用紙２から取り分けられた被印刷物３を常に水平に保つことができ被印刷物３の綴じられた部分から印刷位置までの距離を常に一定に保つことができるため、連続的に順次印刷される被印刷物３の印刷位置を常に一定に保つことが可能となって印刷品質を高めることができる。
【００２７】
実施例２において、インクジェットヘッド１と固定ユニット４との距離を固定する場合を示したが、被印刷物３のしわなどによってインクジェットヘッド１と被印刷物３との距離にムラが発生することを避けるために、特願２０１２−１２１４２８で示されているようなインクジェットヘッド１と被印刷物３との距離を一定に保つ手段を設けても良い。このときにおいても、インクジェットヘッド１と固定ユニット４との間には常に１枚の用紙が設置されるためインクジェットヘッド１の固定ユニット４からの距離の調整量を少なくすることができるため高速動作を実現することができることは明らかである。
【産業上の利用可能性】
【００２８】
インクを吐出して印刷するインクジェットヘッドを備えた綴じられた複数枚の用紙の少なくとも１枚に印刷するインクジェット印刷の用途全般に適用できる。
【符号の説明】
【００２９】
１    インクジェットヘッド
２    綴じられた複数枚の用紙
３    被印刷物
４    固定ユニット
５    移動ユニット
６    移動ユニット
７    固定ユニット
８    ローラー
９    ヘッドユニット
１０  固定ユニット
【図１】
2014121839.tif 000003
【図２】
2014121839.tif 000004
【図３】
2014121839.tif 000005
【図４】
2014121839.tif 000006
【図５】
2014121839.tif 000007
【図６】
2014121839.tif 000008
【図７】
2014121839.tif 000009